【手続補正書】
【提出日】平成27年2月2日(2015.2.2)
【手続補正１】
【補正対象書類名】明細書
【補正対象項目名】０００１
【補正方法】変更
【補正の内容】
【０００１】
本発明は、演出表示を表示部で実行可能な表示装置と、演出表示の進行に関連して作動する演出用役物装置と、を備えた遊技機に関する。
【手続補正２】
【補正対象書類名】明細書
【補正対象項目名】０００２
【補正方法】削除
【補正の内容】
【手続補正３】
【補正対象書類名】明細書
【補正対象項目名】０００３
【補正方法】変更
【補正の内容】
【０００３】
従来の遊技機では、例えば、演出用役物装置（可動式演出装置）を備え、該演出用役物装置の一部である演出役物をゲームの進行に伴って移動させたり発光させたりして演出を実行し、表示装置の前方に演出役物を移動して演出を実行する旨が提案されている（例えば、特許文献１参照）。
【手続補正４】
【補正対象書類名】明細書
【補正対象項目名】０００５
【補正方法】変更
【補正の内容】
【０００５】
ところで、近年では、遊技機の演出動作が多様化しており、例えば、演出役物を遊技者を照らすように発光させ、遊技者の関心を惹きつけようとするものがある。しかしながら、光が強いと、遊技者が眩しさを感じてしまい、遊技者に不快感を与えてしまう虞がある。
【手続補正５】
【補正対象書類名】明細書
【補正対象項目名】０００７
【補正方法】変更
【補正の内容】
【０００７】
本発明は、上記目的を達成するために提案されたものであり、請求項１に記載のものは、演出表示を表示部で実行可能な表示装置と、前記演出表示の進行に関連して作動する演出用役物装置と、を備えた遊技機において、
前記演出用役物装置には、装飾部が搭載されたユニットベースを動作させて装飾効果を発揮する役物ユニットを含み、
前記役物ユニットは、当該役物ユニットを駆動する駆動源と、当該役物ユニットの動作に対応して動作する装飾部材と、該装飾部材に光を照射する装飾発光源と、を備え、
前記装飾部材は、前記装飾発光源からの光を前記遊技機の前方へ反射する装飾光反射部を備え、
前記装飾発光源は、前記役物ユニットの動作に連動して発光することを特徴とする遊技機である。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】変更
【補正の内容】
【００１４】
本発明によれば、遊技者が装飾発光源を直接視認することを避けることができ、遊技者が遊技演出を観賞して眩しさを感じる不都合を避けることができる。また、光の反射による演出を役物ユニットの動きに連動して変化させることができ、遊技者に不快感を与えずに十分な演出効果を期待することができる。
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００３７
【補正方法】変更
【補正の内容】
【００３７】
演出役物ユニット９５は、第１可動役物ユニット１０１（本発明における役物ユニットに相当）と第２可動役物ユニット１０２とを備えて演出動作を実行可能なユニットである。第１可動役物ユニット１０１は、図１０および図１１に示すように、ユニット取付枠９７に止着される横長な可動役物ベースパネル１１０を備え、該可動役物ベースパネル１１０の前面の球導入路６４寄り（図１１中、左寄り）には、ＬＥＤ等の発光体が実装されたベース発光部（図示せず）を止着して透光性を有するベース装飾レンズカバー１１１で被覆し、ベース発光部から発生する光をベース装飾レンズカバー１１１に通して可動役物ベースパネル１１０の前方へ照射可能としている。また、可動役物ベースパネル１１０の前面のうち球流下領域８２寄り（図１１中、右寄り）には装飾動作ユニット１１２を装着している。
【手続補正２０】
【補正対象書類名】明細書
【補正対象項目名】００５０
【補正方法】変更
【補正の内容】
【００５０】
第１昇降装飾ユニット１７１は、図２１に示すように、昇降可能な複数（本実施形態では３つ）の第１昇降役物本体部１７６と、第１昇降役物本体部１７６を発光装飾するＬＥＤ等の第１昇降発光体１７７とを具備し、第１昇降役物本体部１７６を昇降させて装飾効果を発揮するように構成されている。具体的に説明すると、第１昇降装飾ユニット１７１の後部には、遊技盤５の正面から見て逆Ｌ字状を呈する第１昇降ユニットアーム１７８を備え、該第１昇降ユニットアーム１７８のうち縦長な側辺部の上端箇所をユニット取付枠９７のうち球流下領域８２側に位置する側辺部（図２１中、右側の側辺部）に回動自在な状態で軸着している。さらに、第１昇降ユニットアーム１７８の屈曲部の後面から第１昇降ガイドピン１７９（図２０（ｂ）参照）を後方のユニット取付枠９７へ向けて突設し、ユニット取付枠９７の下辺部に設けられた円弧状の第１昇降ガイド溝１８０に第１昇降ガイドピン１７９を遊嵌し、第１昇降ガイドピン１７９を第１昇降ガイド溝１８０に沿って移動させて第１昇降ユニットアーム１７８を上下方向へ揺動可能（回動可能）としている。
【手続補正２１】
【補正対象書類名】明細書
【補正対象項目名】００５５
【補正方法】変更
【補正の内容】
【００５５】
第２昇降装飾ユニット１７２は、図２１に示すように、昇降可能な複数（本実施形態では３つ）の第２昇降役物本体部１９６と、第２昇降役物本体部１９６を発光装飾するＬＥＤ等の第２昇降発光体１９７とを具備し、第２昇降役物本体部１９６を昇降させて装飾効果を発揮するように構成されている。具体的に説明すると、第２昇降装飾ユニット１７２の後部には、遊技盤５の正面から見てＬ字状を呈する第２昇降ユニットアーム１９８を備え、該第２昇降ユニットアーム１９８のうち縦長な側辺部の上端箇所をユニット取付枠９７のうち球導入路６４側に位置する側辺部（図２１中、左側の側辺部）に回動自在な状態で軸着している。さらに、第２昇降ユニットアーム１９８の屈曲部の後面から第２昇降ガイドピン１９９（図２０（ｂ）参照）を後方のユニット取付枠９７へ向けて突設し、ユニット取付枠９７の下辺部に設けられた円弧状の第２昇降ガイド溝２００に第２昇降ガイドピン１９９を遊嵌し、第２昇降ガイドピン１９９を第２昇降ガイド溝２００に沿って移動させて第２昇降ユニットアーム１９８を上下方向へ揺動可能（回動可能）としている。
【手続補正２２】
【補正対象書類名】明細書
【補正対象項目名】００６１
【補正方法】変更
【補正の内容】
【００６１】
アーム回動機構２１５は、第１昇降ユニットアーム１７８寄りに配置される第１アーム回動ギア２２１と、第２昇降ユニットアーム１９８寄りに配置される第２アーム回動ギア２２２とを各回動軸方向が遊技盤５の表裏方向に平行となる姿勢で横に並べて噛合し、第２アーム回動ギア２２２の下方には昇降駆動モータ２２３を配置し、該昇降駆動モータ２２３の出力軸に共回り状態で止着された昇降駆動ギア２２４を第２アーム回動ギア２２２に噛合している（図２０（ｂ）参照）。また、第１アーム回動ギア２２１の前面のうち回動軸から外れた位置からは第１アーム回動カムフォロア２２１ａを突設し、第２アーム回動ギア２２２の前面のうち回動軸から外れた位置からは第２アーム回動カムフォロア２２２ａを突設し、噛合状態の第１アーム回動ギア２２１と第２アーム回動ギア２２２とを回動すると、第１アーム回動カムフォロア２２１ａと第２アーム回動カムフォロア２２２ａとが遊技盤５の正面から見て常時左右対称となる状態で連動するように構成されている。
【手続補正２３】
【補正対象書類名】明細書
【補正対象項目名】０１０６
【補正方法】変更
【補正の内容】
【０１０６】
ところで、上記実施形態では、第１可動役物ユニット１０１に装飾効果を発揮する構成として第１装飾本体部１２１を備えたが、本発明はこれに限定されない。例えば、図３９〜図４４に示す第２実施形態では、基本的には第１実施形態と同じ構成であるが、第１可動役物ユニット１０１に第１装飾本体部１２１とは別個の装飾部を備えている点で異なる。具体的に説明すると、第１可動役物ユニット１０１は、図３９および図４０に示すように、装飾部として機能する複数（本実施形態では３つ）の揺動可能な揺動装飾部材（装飾部材）３１１を第１ユニットベース１１５の長手方向に沿って並ぶ状態であって、且つ第１ユニットベース１１５の内側から下方に突出する状態で吊り下げて備えている。また、上昇状態（表示開口部５６の上縁部に沿って横向き姿勢となる状態）における第１ユニットベース１１５の内部のうち揺動装飾部材３１１の上端部よりも上方には、第１ユニットベース１１５の長手方向に沿って延在する短冊状の装飾発光基板３１２を備え、該装飾発光基板３１２のうち各揺動装飾部材３１１の上方に位置する箇所には、揺動装飾部材３１１に光を照射するＬＥＤ等の揺動装飾発光源（装飾発光源）３１３をそれぞれ備えている。さらに、各揺動装飾発光源３１３を第１ユニットベース１１５の第１フロントベース１１５ａにより被覆して第１可動役物ユニット１０１の前方から視認不能としている。
【手続補正２４】
【補正対象書類名】明細書
【補正対象項目名】０１０７
【補正方法】変更
【補正の内容】
【０１０７】
揺動装飾部材３１１は、図４０および図４１に示すように、縦長な揺動ロッド３１６を備え、該揺動ロッド３１６の上端部には揺動軸受部３１７を遊技盤５の表裏方向に沿って貫通し、該揺動軸受部３１７を接続軸１３２へ遊嵌して第１可動役物ユニット１０１に揺動可能な状態で装着されている。そして、揺動ロッド３１６のうち揺動端部となる下部を第１ユニットベース１１５の下方に露出して表示部３１ａの前方に配置し、この下部を第１ユニットベース１１５の長手方向（言い換えると、遊技盤５の左右方向）に沿って往復動させて揺動動作を実行可能としている。また、揺動ロッド３１６の下部の前面には、花の形状を模した装飾光反射部３１８を揺動ロッド３１６の長手方向に沿って複数（本実施形態では３つ）並べて備え、該装飾光反射部３１８の表面にはメッキなどの処理を施して、揺動装飾発光源３１３から揺動装飾部材３１１へ照射された光を装飾光反射部３１８により遊技盤５の前方（遊技者側）へ反射するように構成されている（図４２参照）。なお、揺動装飾部材３１１および装飾光反射部３１８は複数ではなくて一つでも構わない。また、各揺動装飾部材３１１に備えられる装飾光反射部３１８の数が異なっても構わない。
【手続補正２５】
【補正対象書類名】明細書
【補正対象項目名】０１０９
【補正方法】変更
【補正の内容】
【０１０９】
このような構成の揺動装飾部材３１１および揺動装飾発光源３１３を第１可動役物ユニット１０１に備えたパチンコ遊技機１においては、図４４に示すように、演出制御装置２９５が第１ユニット駆動機構１１６（詳しくは第１ユニット駆動モータ１３６）を駆動する第１ユニット動作制御を実行して第１ユニットベース１１５に第１ユニット動作（上下動）を行わせると、吊り下げ状態の揺動装飾部材３１１が第１ユニットベース１１５の第１ユニット動作により駆動されて表示部３１ａの前方で揺動動作を実行する。言い換えると、第１ユニットベース１１５を駆動する第１ユニット駆動モータ１３６が本発明における駆動源として機能し、揺動装飾部材３１１が第１ユニット駆動モータ１３６により駆動されて（具体的には、第１ユニットベース１１５を介して伝達される第１ユニット駆動モータ１３６の駆動力により駆動されて）揺動動作を実行する。さらに、演出制御装置２９５が揺動装飾発光源３１３の発光制御を実行し、揺動装飾発光源３１３が第１ユニットベース１１５の上下動に連動して発光し、揺動装飾部材３１１が第１装飾姿勢になる等して装飾光反射部３１８が揺動装飾発光源３１３の光照射範囲内に位置すると、揺動装飾発光源３１３からの光が装飾光反射部３１８により遊技盤５の前方へ反射される。
【手続補正２６】
【補正対象書類名】明細書
【補正対象項目名】０１１２
【補正方法】変更
【補正の内容】
【０１１２】
ところで、揺動装飾部材３１１は、接続軸１３２にしまりばめ状態で嵌合して第１装飾本体部１２１と共回りさせてもよい。言い換えると、第１装飾本体部１２１毎に接続される第１回動ギア１３０に揺動装飾部材３１１を接続し、第１装飾本体部１２１の回動駆動源である単一の第１本体駆動モータ１２６を駆動源として機能させ、第１本体駆動モータ１２６の回動力を第１回動伝達機構１２７により各揺動装飾部材３１１へ伝達してもよい。第１本体駆動モータ１２６の回動力を第１回動伝達機構１２７により伝達して各揺動装飾部材３１１に揺動動作を実行させれば、揺動装飾部材３１１の揺動動作（揺動範囲や揺動実行時間など）を制御することができる。
【手続補正２７】
【補正対象書類名】明細書
【補正対象項目名】０１１３
【補正方法】変更
【補正の内容】
【０１１３】
なお、揺動装飾部材３１１と第１装飾本体部１２１とを共回りさせる構成では、第１装飾本体部１２１の回動角が揺動装飾部材３１１の揺動範囲に制限される。そこで、揺動装飾部材３１１の揺動機構を第１装飾本体部１２１の回動機構とは別個に第１ユニットベース１１５に備えてもよい。具体的には、回動力を出力する単一の回動駆動源を駆動源として第１本体駆動モータ１２６とは別個に備え、揺動装飾部材３１１毎に接続された回動ギアを第１回動伝達機構１２７の構成要素とは別個に連結して、回動駆動源の回動力を各揺動装飾部材３１１へ伝達する回動伝達機構を第１回動伝達機構１２７とは別個に構成してもよい（何れも図示せず）。揺動装飾部材３１１の揺動機構を第１装飾本体部１２１の回動機構とは別個に備えれば、第１装飾本体部１２１の動作を規制せずに、揺動装飾部材３１１の揺動動作を制御することができる。
【手続補正２８】
【補正対象書類名】明細書
【補正対象項目名】０１１４
【補正方法】変更
【補正の内容】
【０１１４】
さらに、第１可動役物ユニット１０１に第１装飾本体部１２１を備えず、代わりに揺動装飾部材３１１を備えてもよい。例えば、揺動装飾部材３１１をしまりばめ状態で嵌合した接続軸１３２の前端に第１装飾本体部１２１を設けず、第１本体駆動モータ１２６および第１回動伝達機構１２７を揺動装飾部材３１１を駆動させるためだけの構成としてもよい。また、図４５に示すように、第１可動役物ユニット１０１には第１装飾本体部１２１、第１本体駆動モータ１２６、第１回動伝達機構１２７を備えず、代わりに第１ユニットベース１１５内に揺動支持軸３２０を遊技盤５の表裏方向に延在する状態で備え、該揺動支持軸３２０に揺動装飾部材３１１を遊嵌してもよい。
【手続補正２９】
【補正対象書類名】明細書
【補正対象項目名】０１１５
【補正方法】変更
【補正の内容】
【０１１５】
そして、第１装飾本体部１２１の有無に拘らず、揺動装飾部材３１１の揺動動作を制御可能とする構成（回動駆動源や回動伝達機構）を備えた場合には、演出制御装置２９５が回動制御手段および表示制御手段として機能して、回動駆動源を制御するとともに表示部３１ａを制御してもよい。例えば、図４４（ａ）および（ｂ）に示すように、演出制御装置２９５の制御により、第１本体駆動モータ１２６等の回動駆動源が遊技盤５の正面から見て時計方向となる第１回動方向の回動力を出力して、揺動装飾部材３１１を装飾光反射部３１８が遊技盤５の正面から見て左方向へ移動する状態で揺動させると、表示部３１ａが演出制御装置２９５に制御されて、花びらの模様を表示部３１ａの右側から左側へ移動する動画で表現された第１演出表示を実行してもよい。一方、回動駆動源が遊技盤５の正面から見て反時計方向となる第２回動方向（第１回動方向とは反対となる第２回動方向）の回動力を出力して、揺動装飾部材３１１を装飾光反射部３１８が遊技盤５の正面から見て右方向へ移動する状態で揺動させると、表示部３１ａが演出制御装置２９５に制御されて、花びらの模様を表示部３１ａの左側から右側へ移動する動画で表現された第２演出表示（第１演出表示とは異なる第２演出表示）を実行してもよい。このようにして、回動駆動源の回動力の方向を制御して揺動装飾部材３１１の動作を異ならせる度に、表示部３１ａで表示される演出表示を異ならせれば、揺動装飾部材３１１の演出動作（揺動および光の反射）を表示部３１ａにおける演出表示により一層際立たせることができ、揺動装飾部材３１１による演出と変動表示装置３１による演出との相乗効果をさらに期待することができる。なお、第１演出表示および第２演出表示は、互いに異なればどのような表示内容でもよい。
【手続補正３０】
【補正対象書類名】特許請求の範囲
【補正対象項目名】全文
【補正方法】変更
【補正の内容】
【特許請求の範囲】
【請求項１】
演出表示を表示部で実行可能な表示装置と、前記演出表示の進行に関連して作動する演出用役物装置と、を備えた遊技機において、
前記演出用役物装置には、装飾部が搭載されたユニットベースを動作させて装飾効果を発揮する役物ユニットを含み、
前記役物ユニットは、当該役物ユニットを駆動する駆動源と、当該役物ユニットの動作に対応して動作する装飾部材と、該装飾部材に光を照射する装飾発光源と、を備え、
前記装飾部材は、前記装飾発光源からの光を前記遊技機の前方へ反射する装飾光反射部を備え、
前記装飾発光源は、前記役物ユニットの動作に連動して発光することを特徴とする遊技機。